(57)【要約】      （修正有）【課題】蓄光機能を備えたタオルにおいて、タオル本来の機能を損なうことなく、暗所視認性に優れたタオルを提供する。【解決手段】経糸２１及び緯糸２２からなる地織部１１の表面にパイルを編成したタオルであって、パイル編成部１２の所定領域に、蓄光性を有するパイル糸２３を用いて発光部１２Ａを編成した。【選択図】図２
0003208361.tif 000002
【実用新案登録請求の範囲】
【請求項１】
経糸及び緯糸からなる地織部の表面にパイルを編成したタオルであって、
パイル編成部の所定領域に、蓄光性を有するパイル糸を用いて発光部を編成した、タオル。
【請求項２】
請求項１に記載のタオルにおいて、
地織部の経糸及び緯糸は、天然繊維で形成され、
パイル編成部における少なくとも発光部のパイル糸は、合成繊維で形成された、タオル。
【請求項３】
請求項２に記載のタオルにおいて、
パイル編成部における少なくとも発光部のパイル糸は、複数の糸を撚り合わせて形成された、タオル。
【考案の詳細な説明】
【技術分野】
【０００１】
本考案は、タオル、特に、蓄光機能を備えたタオルに関する。
【背景技術】
【０００２】
近年、健康志向の高まりとともに、ウォーキングやランニングを行う者が増加している。ところが、それに伴い、街灯の少ない場所や道路などの暗所において、自分の存在が周囲に十分に認識されず、自動車や自転車との接触事故を招くケースも増えつつある。そこで従来、タオル表面の一部に経糸及び緯糸のみからなる平織部を設け、上記緯糸に蓄光糸を用いることで、暗所にて部分的に発光するようにしたタオルが提案されている（例えば、特許文献１参照）。
【先行技術文献】
【特許文献】
【０００３】
【特許文献１】実用新案登録第３０７４５９１号公報
【考案の概要】
【考案が解決しようとする課題】
【０００４】
しかしながら、上記従来のタオルのように、タオルの表面に平織部が広く設けられていると、吸水性や肌触りなどタオル本来の機能を損なう問題があった。一方、吸水性や肌触りなどを考慮して、タオル表面の広い範囲にパイルを編成すれば、その分、発光部となる平織部が狭くなるから、外部から十分に視認されない問題もある。
【０００５】
本考案は、上記課題を鑑みてなされたものであり、その目的は、蓄光機能を備えたタオルにおいて、タオル本来の機能を損なうことなく、暗所視認性に優れたタオルを提供することにある。
【課題を解決するための手段】
【０００６】
本考案は、経糸及び緯糸からなる地織部の表面にパイルを編成したタオルであって、パイル編成部の所定領域に、蓄光性を有するパイル糸を用いて発光部を編成したものである。
【０００７】
このものでは、パイル編成部が発光部となるから、既述従来のタオルのように、経糸及び緯糸のみからなる領域をタオルの表面に広く設ける必要がない。即ち、発光部を含むタオル表面の略全体をパイル編成部とすることが可能である。従って、良好な吸水性や肌触りが得られる。また、パイル編成部の所望の領域を発光部とすることができるから、明所にて効率良く蓄光でき、且つ、暗所においても発光部を確実に視認させることが可能である。
【０００８】
好ましくは、上記タオルにおいて、地織部の経糸及び緯糸は、天然繊維で形成され、パイル編成部における少なくとも発光部のパイル糸は、合成繊維で形成される。
【０００９】
綿や絹などの天然繊維で形成された糸は、糸自体に蓄光材料をコーティングしたり混ぜ込んだりして蓄光性を持たせるのが難しい。そのため、従来、天然繊維の糸で編成されたタオルの表面に発光部を設ける場合は、パイルの輪端にシャーリング加工を施してそのカット面に蓄光塗料を塗布する方法が一般的に用いられる。しかしながらこの方法では、蓄光塗料が塗布された部分の吸水性や肌触りが悪くなるし、洗濯の繰り返しや長期の使用によって蓄光塗料にひび割れや剥がれが生じ、発光機能が早期に損なわれる問題もある。
【００１０】
これに対し、ポリエステルやアクリルなどの合成繊維で形成された糸は、形成時に蓄光材料をコーティング又は含有させ、糸自体に蓄光性を持たせることが比較的容易である。従って、本考案のタオルのように、発光部のパイル糸に合成繊維が用いられたものとすれば、パイル糸自体に蓄光性を持たせることができる。換言すれば、糸自体に蓄光材料をコーティング又は含有させた蓄光糸を用いて発光部を編成することができる。よって、タオル表面に蓄光塗料を塗布したもののような上記不具合が生じない。
【００１１】
好ましくは、上記タオルにおいて、パイル編成部における少なくとも発光部のパイル糸は、複数の糸を撚り合わせて形成される。
【００１２】
地織部の経糸及び緯糸に天然繊維で形成された糸を用い、パイル編成部のパイル糸に合成繊維で形成された糸を用いる場合、編み込み時の両糸の張力差によってパイル糸が切れてしまい、その結果、発光部に発光ムラが生じる虞がある。
【００１３】
しかしながら、本考案のタオルのように、パイル糸に複数の糸を撚り合わせて形成された撚り糸を用いれば、編み込み時にパイル糸が容易に切れない。従って、発光部に発光ムラが生じ難い。
【考案の効果】
【００１４】
以上のように、本考案によれば、良好な吸水性や肌触りが得られると共に、明所にて効率良く蓄光でき、且つ、暗所においても確実に視認させることが可能であるから、タオル本来の機能を損なうことなく、暗所視認性に優れたタオルを提供することができる。
【図面の簡単な説明】
【００１５】
【図１】図１は、本考案の実施の形態に係るタオルの外観図である。
【図２】図２は、本考案の実施の形態に係るタオルのパイル編成部を拡大した模式図である。
【考案を実施するための形態】
【００１６】
次に、上記した本考案を実施するための形態について、添付図面を参照しながら詳述する。
【００１７】
図１および図２に示すように、本考案の実施の形態に係るタオル１は、地織部１１の表面（表側の面及び裏側の面）にパイルが編成された縦長矩形状のタオルであり、ウォーキングやランニング、その他屋外活動をする際に、使用者の首に掛けた状態で手や顔を拭くのに適した長さに形成されている。尚、本考案は、上記のような大きさのタオルに限らず、全身を拭くのに適した大きさの所謂バスタオルや、ポケットに収容して持ち運ぶのに適した大きさの所謂ハンドタオルなど、様々な大きさのタオルに適用できる。
【００１８】
地織部１１は、タオル１の長手方向と平行に延設される複数の経糸２１と、経糸２１と交差する方向に、経糸２１相互の間隙を縫うように延設される複数の緯糸２２とで平織されている。
【００１９】
経糸２１及び緯糸２２は、何れも天然繊維（ここでは、綿）により形成されている。また、経糸２１及び緯糸２２には、一本の糸で形成された単糸が用いられている。
【００２０】
尚、経糸２１及び緯糸２２は、吸水性や柔軟性に優れた素材、即ち、タオルに適した素材であれば、綿に限らず、絹や麻、羊毛などの天然繊維により形成されたものとしてもよいし、ポリエステルやアクリル、ナイロン、ポリプロピレンなどの合成繊維により形成されたものとしてもよいし、それらの複合繊維により形成されたものとしてもよい。
【００２１】
地織部１１のミミ（長縁）１３及びヘム（短縁）１４は、ほつれ防止及び補強のための縫製がなされており、ミミ１３及びヘム１４を除いた地織部１１の表側となる面及び裏側となる面の略全面にパイルが編成されている。
【００２２】
パイル編成部１２は、経糸２１と交差する方向に、経糸２１相互の間隙を縫うように延設される複数のパイル糸２３により編成されている。尚、本実施の形態に係るタオル１は、パイル糸２３の輪端にシャーリング加工が施されていない両面パイル生地のジャガードタオルであるが、本考案は、パイル糸２３の輪端にシャーリング加工が施されたタオルにも適用できる。
【００２３】
パイル糸２３は、合成繊維（ここでは、ポリエステル）により形成されている。また、パイル糸２３には、二本の糸を撚り合わせて形成された双糸（撚り糸）が用いられている。
【００２４】
パイル編成部１２の所定領域（図１の薄墨を施した部分）は、蓄光性を有するパイル糸（以下、「蓄光糸」という）２３Ａにより編成されている。一方、蓄光糸２３Ａで編成された発光部１２Ａを除くパイル編成部１２の他の領域は、蓄光性を有しない常用のパイル糸（以下、「常用糸」という）２３Ｂにより編成されている。
【００２５】
本実施の形態に係るタオル１では、パイル編成部１２の文字を模った領域を発光部１２Ａ、その他の領域を常用糸２３Ｂで編成された非発光部１２Ｂとして、これら発光部１２Ａ及び非発光部１２Ｂ相互の明暗差によってタオル表面に所定の文字を浮かび上がらせるように構成されているが、文字に限らず、図形や模様を模った領域を発光部１２Ａとしたものであってもよい。また、文字や図形、模様等を模った領域を非発光部１２Ｂ、その他の領域を発光部１２Ａとしたものであってもよいし、パイル編成部１２の全領域を蓄光糸２３Ａで編成して発光部１２Ａとしたものであってもよい。
【００２６】
このように、上記タオル１では、暗所にてタオル１の表面に所定の文字等が発光により浮かび上がるように構成されているから、首に掛けるなどして身に着けておけば、夜間、街灯の少ない場所や道路などを歩行又は走行する際に、自分の存在を周囲に十分に認識させることができる。よって、自動車や自転車との接触事故が未然に回避される可能性が高くなる。また、夜間のキャンプ場やテーマパークなどのレジャー施設において、子供の身に着けさせておけば、迷子防止にも役立つし、コンサートなどのイベント会場にて身に着ければ、光による会場の雰囲気作りにも寄与する。
【００２７】
尚、蓄光糸２３Ａは、吸水性や柔軟性、肌触りなどを損なわず、且つ、蓄光材料をコーティング又は含有させることが容易な素材であれば、ポリエステルに限らず、アクリルやナイロン、ポリプロピレンなどの合成繊維により形成されたものとしてもよいし、それらの複合繊維により形成されたものとしてもよい。一方、常用糸２３Ｂは、吸水性や柔軟性、肌触りなどを損なわない素材、即ち、タオルに適した素材であれば、ポリエステルに限らず、アクリルやナイロン、ポリプロピレンなどの合成繊維により形成されたものとしてもよいし、綿や絹、麻、羊毛などの天然繊維により形成されたものとしてもよいし、それらの複合繊維により形成されたものとしてもよい。
【００２８】
蓄光糸２３Ａにコーティング又は含有させる蓄光材料には、太陽光や電灯光などの光を吸収し、暗所にて光を発する物質（硫化亜鉛、アルミン酸ストロンチウム、硫化バリウム、硫化カルシウム、ジアミノスチルベン誘導体など）が用いられる。
【００２９】
上記タオル１によれば、パイル編成部１２が発光部１２Ａとなるから、既述従来のタオルのように、経糸及び緯糸のみからなる平織部をタオルの表面に広く設ける必要がない。即ち、発光部１２Ａを含むタオル表面の略全体をパイル編成部１２とすることが可能である。従って、良好な吸水性や肌触りが得られ、タオル本来の機能を損なうことがない。
【００３０】
しかも、パイル編成部１２の所望の領域を発光部１２Ａとすることができるから、明所にて効率良く蓄光できるし、暗所においても発光部１２Ａを確実に視認させることが可能である。これにより、暗所視認性が格段に向上する。
【００３１】
また、パイル編成部１２のパイル糸２３に合成繊維を用いたことで、パイル糸２３自体に蓄光材料をコーティング又は含有させて蓄光性を持たせることができる。換言すれば、糸自体に蓄光材料をコーティング又は含有させた蓄光糸２３Ａを用いて発光部１２Ａを編成することができる。これにより、パイル編成部１２の表面に蓄光塗料を塗布したタオルのように吸水性や肌触りが損なわれたり、蓄光塗料のひび割れや剥がれによって発光性能が早期に損なわれたりする虞がない。
【００３２】
さらに、発光部１２Ａを編成する蓄光糸２３Ａに、二本の糸を撚り合わせて形成された双糸を用いたことで、編み込み時に蓄光糸２３Ａが容易に切れないから、発光部１２Ａに発光ムラが生じ難い。これにより、暗所視認性が一層向上する。
【符号の説明】
【００３３】
１      タオル
１１    地織部
１２    パイル編成部
１２Ａ  発光部
２１    経糸
２２    緯糸
２３    パイル糸
２３Ａ  蓄光糸
【図１】
0003208361.tif 000003
【図２】
0003208361.tif 000004